(57)【要約】【課題】原稿カバーおよび自動原稿搬送カバーの少なくとも一方が開いていることを安価に検出する画像読取装置を提供する。【解決手段】ＦＢカバー６０は原稿載置台４０を開閉する。ＡＤＦ機構８０はＦＢカバー６０に設けられており、ＡＤＦカバー１００が閉じた状態で形成される搬送路を通して原稿を自動搬送する。原稿載置台４０には貫通孔４８が形成されている。ＡＤＦカバー１００には、原稿載置台４０側に向けて突出する棒１０２が設けられている。原稿載置台４０に設けられたセンサは、ＦＢカバー６０およびＡＤＦカバー１００の両方が閉じている状態で、貫通孔４８を貫通している棒１０２を検出する。ＦＢカバー６０およびＡＤＦカバー１００の少なくとも一方が開いている状態では、貫通孔４８から棒１０２が抜け出すので、センサは棒１０２を検出できない。【選択図】図１
2010233076.tif 000002
【特許請求の範囲】
【請求項１】
原稿が載置される原稿載置台と、
前記原稿載置台を開閉可能な原稿カバーと、
前記原稿カバーに設けられ、自動原稿搬送カバーを有し、前記自動原稿搬送カバーが閉じた状態で形成される搬送路を通して原稿を自動搬送する自動原稿搬送部と、
前記原稿載置台上の原稿に向けて光を照射する光源と、
前記光源から照射されて原稿から反射される反射光に基づいて原稿の画像を読み取る画像読取手段と、
前記原稿載置台または前記自動原稿搬送カバーの一方に設けられた被検出部、ならびに、前記原稿載置台または前記自動原稿搬送カバーの他方に設けられた検出部を有し、前記検出部は、前記原稿カバーおよび前記自動原稿搬送カバーの少なくとも一方が開いていることを前記被検出部の位置から検出する開閉検出手段と、
を備えることを特徴とする画像読取装置。
【請求項２】
前記被検出部は、前記検出部に向けて突出する突出部を有し、
前記検出部は、前記突出部が前記検出部に達しているか否かを検出するセンサを有し、
前記開閉検出手段は、前記突出部が前記原稿カバーを通して前記センサに達している場合、前記原稿カバーおよび前記自動原稿搬送カバーの両方が閉じていることを検出する、
ことを特徴とする請求項１に記載の画像読取装置。
【請求項３】
前記光源の光量を調整する光量調整手段と、
前記自動原稿搬送部による原稿の自動搬送を駆動する駆動手段と、
前記原稿カバーおよび前記自動原稿搬送カバーの少なくとも一方が開いていると前記開閉検出手段が検出すると、前記光量調整手段に前記光源に対する光量調整を指示するとともに、前記駆動手段に前記自動原稿搬送部の駆動を停止させる原稿読取準備手段と、
を備えることを特徴とする請求項１または２に記載の画像読取装置。
【請求項４】
前記画像読取手段に画像読取の実行を指示する指示手段と、
前記原稿カバーおよび前記自動原稿搬送カバーの少なくとも一方が開いていると前記開閉検出手段が検出し、前記原稿読取準備手段からの指示により前記光量調整手段が前記光量調整を開始するとともに、前記駆動手段が前記自動原稿搬送部の駆動を停止してから所定時間の間に、前記指示手段により前記画像読取手段の実行が指示されるか否かを判定する指示判定手段と、
前記指示手段により前記画像読取手段の実行が指示されていないと前記指示判定手段が判定すると、前記光量調整手段に前記光量調整の停止を指示する光量調整停止手段と、
を備えることを特徴とする請求項３に記載の画像読取装置。
【請求項５】
自動搬送する原稿が前記自動原稿搬送部に設置されているか否かを検出する原稿検出手段と、
前記原稿カバーおよび前記自動原稿搬送カバーの少なくとも一方が開いていると前記開閉検出手段が検出し、前記原稿検出手段が前記自動原稿搬送部に原稿が設置されていると検出する場合、前記原稿カバーおよび前記自動原稿搬送カバーの少なくとも一方が開いていることを警告する警告手段と、
を備え、
前記警告手段が前記原稿カバーおよび前記自動原稿搬送カバーの少なくとも一方が開いていることを警告しているときは、前記画像読取手段は画像読取を実行しない、
ことを特徴とする請求項１から４のいずれか一項に記載の画像読取装置。
【発明の詳細な説明】
【技術分野】
【０００１】
本発明は、原稿載置台を開閉する原稿カバーに自動原稿搬送部を設けた画像読取装置に関する。
【背景技術】
【０００２】
従来、原稿載置台にユーザが設置する静止原稿と、自動原稿搬送部により自動搬送される原稿とのそれぞれの画像を読み取る機能を備えた画像読取装置が知られている（例えば、特許文献１、２参照。）。
【０００３】
このような画像読取装置においては、自動原稿搬送部に詰まった原稿を取り除くために、ユーザが自動原稿搬送部のカバーである自動原稿搬送カバーを開くことがある。特許文献１では、自動原稿搬送カバーが開いていることを検出するセンサを設置している。
【０００４】
また、特許文献２では、自動原稿搬送部を設けた原稿カバーが開いていることを検出するセンサを設置している。原稿カバーを開いたことをセンサが検出することにより、例えば、ユーザが原稿載置台に載置された静止原稿の読み取りのためにスタートボタンを押す前に、光源として使用される陰極管のウォームアップや読取補正等の読取準備を予め実行しておくことができる。
【先行技術文献】
【特許文献】
【０００５】
【特許文献１】特開２００３−３０２７９７号公報
【特許文献２】特開２００５−１６５１８２号公報
【発明の概要】
【発明が解決しようとする課題】
【０００６】
ここで、原稿カバーに自動原稿搬送部を設けた画像読取装置において、原稿カバーと自動原稿搬送カバーとが開いていることを検出するためには、原稿カバーの開閉検出用、ならびに自動原稿搬送カバーの開閉検出用のセンサをそれぞれ設置すればよい。しかしながら、両方のカバーの開閉検出用にセンサをそれぞれ設置すると、製造コストが増加するという問題がある。
【０００７】
一方、原稿カバーまたは自動原稿搬送カバーの一方の開閉検出用のセンサだけを設置すると、他方のカバーが開いていることを検出できないという問題がある。
本発明は、上記問題を解決するためになされたものであり、原稿カバーおよび自動原稿搬送カバーの少なくとも一方が開いていることを安価に検出する画像読取装置を提供することを目的とする。
【課題を解決するための手段】
【０００８】
上記目的を達成するためになされた本発明の画像読取装置は、原稿が載置される原稿載置台と、原稿載置台を開閉可能な原稿カバーと、原稿カバーに設けられ、自動原稿搬送カバーを有し、自動原稿搬送カバーが閉じた状態で形成される搬送路を通して原稿を自動搬送する自動原稿搬送部と、原稿載置台上の原稿に向けて光を照射する光源と、光源から照射されて原稿から反射される反射光に基づいて原稿の画像を読み取る画像読取手段と、原稿載置台または自動原稿搬送カバーの一方に設けられた被検出部、ならびに、原稿載置台または自動原稿搬送カバーの他方に設けられた検出部を有し、検出部は、原稿カバーおよび自動原稿搬送カバーの少なくとも一方が開いていることを被検出部の位置から検出する開閉検出手段と、を備えることを特徴とする。
【０００９】
本発明の構成によると、原稿カバーが開くと、原稿カバーに設けられている自動原稿搬送部の自動原稿搬送カバーも原稿カバーが開いている位置に動く。その結果、原稿載置台または自動原稿搬送カバーの他方に設けられた検出部に対し、原稿載置台または自動原稿搬送カバーの一方に設けられた被検出部の位置が相対的に変化する。
【００１０】
原稿カバーが閉じた状態で自動原稿搬送カバーが開く場合も同様に、開閉検出手段の検出部に対し被検出部の位置が相対的に変化する。
このように、検出部は、原稿カバーおよび自走原稿搬送カバーの少なくとも一方が開いていることを被検出部の位置から検出できる。これにより、原稿カバーの開閉検出用および自動原稿搬送カバーの開閉検出用に開閉検出手段をそれぞれ設置することなく、原稿カバーおよび自動原稿搬送カバーの少なくとも一方が開いていることを、一つの開閉検出手段により安価に検出できる。
【００１１】
また、本発明の画像読取装置では、被検出部は、検出部に向けて突出する突出部を有し、検出部は、突出部が検出部に達しているか否かを検出するセンサを有し、開閉検出手段は、突出部が原稿カバーを通してセンサに達している場合、原稿カバーおよび自動原稿搬送カバーの両方が閉じていることを検出する、ことを特徴とする。
【００１２】
これにより、原稿カバーおよび自動原稿搬送カバーの少なくとも一方が開いていることを、突出部とセンサという簡単な構成で実現できる。
ところで、原稿カバーおよび自動原稿搬送カバーの少なくとも一方が開いている状態は、ユーザが原稿の読取作業を開始するか、原稿の読取作業中であると考えられる。
【００１３】
そこで、本発明の画像読取装置では、光源の光量を調整する光量調整手段と、自動原稿搬送部による原稿の自動搬送を駆動する駆動手段と、原稿カバーおよび自動原稿搬送カバーの少なくとも一方が開いていると開閉検出手段が検出すると、光量調整手段に光源に対する光量調整を指示するとともに、駆動手段に自動原稿搬送部の駆動を停止させる原稿読取準備手段と、を備えることを特徴とする。
【００１４】
これにより、原稿カバーおよび自動原稿搬送カバーの少なくとも一方が開いている場合には、予め光源の光量を調整し、原稿読み取りが指示された場合に、原稿に対して光源から速やかに所定光量の光を照射できる。特に光源が蛍光灯のような陰極管の場合には、所定光量に調整するまでに時間を要するので、予め光量調整をしておくことが効果的である。
【００１５】
また、原稿カバーおよび自動原稿搬送カバーの少なくとも一方が開いていることを検出すると、自動原稿搬送カバーが開いている可能性を考慮し、自動原稿搬送部の駆動を停止する。これにより、自動原稿搬送部に詰まっている原稿を取り除くことができる。
【００１６】
また、本発明の画像読取装置では、画像読取手段に画像読取の実行を指示する指示手段と、原稿カバーおよび自動原稿搬送カバーの少なくとも一方が開いていると開閉検出手段が検出し、原稿読取準備手段からの指示により光量調整手段が光量調整を開始するとともに、駆動手段が自動原稿搬送部の駆動を停止してから所定時間の間に、指示手段により画像読取手段の実行が指示されるか否かを判定する指示判定手段と、指示手段により画像読取手段の実行が指示されていないと指示判定手段が判定すると、光量調整手段に光量調整の停止を指示する光量調整停止手段と、を備えることを特徴とする。
【００１７】
このように、原稿カバーおよび自動原稿搬送カバーの少なくとも一方が開いていることが検出されてから所定時間の間に画像読取手段に画像読取が指示されない場合は、ユーザによる原稿の読み取り作業が中断された可能性がある。この場合、光源の光量調整を停止することにより、電力消費を低減できる。
【００１８】
また、本発明の画像読取装置では、自動搬送する原稿が自動原稿搬送部に設置されているか否かを検出する原稿検出手段と、原稿カバーおよび自動原稿搬送カバーの少なくとも一方が開いていると開閉検出手段が検出し、原稿検出手段が自動原稿搬送部に原稿が設置されていると検出している場合、原稿カバーおよび自動原稿搬送カバーの少なくとも一方が開いていることを警告する警告手段と、を備え、警告手段が原稿カバーおよび自動原稿搬送カバーの少なくとも一方が開いていることを警告しているときは、画像読取手段は画像読取を実行しない、ことを特徴とする。
【００１９】
これにより、ユーザは、自動原稿搬送部に自動搬送する原稿が設置されている状態で、原稿カバーおよび自動原稿搬送カバーの少なくとも一方が開いていることを知ることができる。さらに、例えば、原稿カバーが開いている状態で、ユーザが自動原稿搬送部に設置されている原稿の読み取りを誤って指示しても、画像読取手段が画像読取を実行しないので、全体が黒い画像が読み取られることを防止できる。
【図面の簡単な説明】
【００２０】
【図１】本実施形態の画像読取装置においてＦＢカバーおよびＡＤＦカバーが閉じた状態を示す外観図。
【図２】（Ａ）は本実施形態の画像読取装置を用いた複合機を示す外観図、（Ｂ）はＬＣＤの表示例を示す説明図。
【図３】本実施形態の開閉検出手段を示す拡大図。
【図４】本実施形態のＡＤＦ機構および画像読取手段を示す断面図。
【図５】本実施形態のＦＢカバーが開いた状態を示す外観図。
【図６】本実施形態のＡＤＦカバーが開いた状態を示す外観図。
【図７】本実施形態の制御系を示すブロック図。
【図８】本実施形態のカバー開閉検出ルーチンを示すフローチャート。
【図９】本実施形態の読取準備処理ルーチンを示すフローチャート。
【図１０】本実施形態の読取準備解除処理ルーチンを示すフローチャート。
【図１１】本実施形態のＦＢ読取処理ルーチンを示すフローチャート。
【図１２】本実施形態のＡＤＦ読取処理ルーチンを示すフローチャート。
【発明を実施するための形態】
【００２１】
以下、本発明の実施形態を図に基づいて説明する。
（複合機１０の構成）
図１、図５および図６は、本発明が適用された画像読取装置の３０の構成を表す外観図であり、図２は画像形成装置２０および画像読取装置３０からなる複合機１０を示す外観図である。尚、図１の（Ａ）および後述する図６の（Ａ）において、後述する自動原稿搬送カバー１００に設けた棒１０２と原稿載置台４０に設けた貫通孔４８との関係を説明するため、操作パネル１２および原稿カバー６０等は省略されている。
【００２２】
図２に示す複合機１０は、イメージスキャナ、プリンタ、コピー、ファクシミリとしての機能を備えている。操作パネル１２には、複合機１０の各種機能をユーザが選択するための各種選択キー、スタートボタン１４、およびＬＣＤ１６等が設けられている。スタートボタン１４は、選択された機能の実行をユーザが指示するための指示手段の一例である。
【００２３】
画像形成装置２０は、ネットワーク等により複合機１０に送信された画像、ならびに画像読取装置３０により読み取られた画像を、用紙トレイ２２から給紙されるシート状の用紙に印刷する。
【００２４】
（画像読取装置３０の構成）
画像読取装置３０は、静止状態で載置された原稿を読み取る静止原稿読取機能（フラットベッド（ＦＢ）読取機能とも言う。）、ならびに自動搬送されてきた原稿を読み取る自動原稿搬送読取機能（ＡＤＦ読取機能とも言う。）を有している。
【００２５】
画像読取装置３０の原稿載置台４０の台枠４２には、図１に示すように、ＦＢ読取機能用の第１読取窓４４とＡＤＦ読取機能用の第２読取窓４６とが設けられている。第１読取窓４４および第２読取窓４６は、水平方向に拡がる平板状のガラスやアクリル等の透明な部材にて構成されている。第２読取窓４６は、第１読取窓４４と同一面上に設けられ、原稿載置台４０の長手方向一端側（図１の左端側）に設定された帯板状の読取窓である。
【００２６】
また、原稿載置台４０の台枠４２を貫通して、図１および図３に示すように貫通孔４８が形成されている。貫通孔４８は、原稿カバー（ＦＢカバーとも言う。）６０および自動原稿搬送カバー（ＡＤＦカバーとも言う。）１００が閉じた状態で、ＡＤＦカバー１００に設けられた棒１０２が貫通する位置に形成されている。台枠４２には、棒１０２が貫通孔４８を貫通していることを検出するセンサ５０（図７参照）が設置されている。
【００２７】
貫通孔４８およびセンサ５０は検出部の一例を構成している。センサ５０は、棒１０２が貫通孔４８を貫通することにより棒１０２に接触してスイッチがオンになるものでもよいし、棒１０２が貫通孔４８を貫通して発光部の光を遮ることを検出するものであってもよい。棒１０２は被検出部として突出部の一例を構成している。
【００２８】
このように、本実施形態では、貫通孔４８、センサ５０および棒１０２という簡単な構成で開閉検出手段の一例を構成している。
図１および図３に示すように棒１０２が貫通孔４８を貫通している場合、センサ５０が棒１０２に接触していることを検出することにより、ＦＢカバー６０およびＡＤＦカバー１００の両方が閉じていることを検出できる。
【００２９】
これに対し、棒１０２が貫通孔４８から抜け出すと、センサ５０は棒１０２に接触していることを検出しないので、ＦＢカバー６０およびＡＤＦカバー１００の少なくとも一方が図５および図６に示すように開いていることを検出できる。
【００３０】
このように、センサ５０は、ＦＢカバー６０およびＡＤＦカバー１００の開閉状態に伴う棒１０２の位置から、ＦＢカバー６０およびＡＤＦカバー１００の少なくとも一方が開いていることを検出する。
【００３１】
原稿載置台４０には、図４に示すように、第２読取窓４６の左側に白基準部材５２が設置されている。黒基準部材は、例えば白基準部材５２とは反対の第１読取窓４４の右側に設置されている。
【００３２】
原稿載置台４０の上面側には、第１読取窓４４および第２読取窓４６を上方側から覆う閉位置（図１に示す状態）と第１読取窓４４および第２読取窓４６の上方側を開放する開位置（図５に示す状態）との間で揺動変位するＦＢカバー６０が設けられている。ＦＢカバー６０は、ヒンジ機構により原稿載置台４０に揺動可能に支持されている。
【００３３】
原稿載置台４０に対してＦＢカバー６０と反対側、つまり原稿載置台４０の下方側には、図４に示すように、ＦＢモータ９０（図７参照）により図４の左右方向に移動する読取ヘッド７０が設置されている。画像読取手段の一例としての読取ヘッド７０は、原稿に対して光を照射する光源７２と、原稿によって反射された反射光を集光するミラー及びレンズ等の光学素子群７４と、原稿から情報を読み取るためのイメージセンサ７６等を収容している。
【００３４】
尚、図４は、読取ヘッド７０および後述するＡＤＦ機構８０の内部構造を説明するための断面図であるが、ＡＤＦカバー１００の形状などが図１、図５および図６と少し異なっている。しかし、図４に示す読取ヘッド７０およびＡＤＦ機構８０の構造は、図１、図５および図６に示す画像読取装置３０に用いられているものと形状を除いて同一である。
【００３５】
光源７２には、電力供給が開始された後、発光した光量が予め設定された範囲の光量に安定するまでに待ち時間が必要な白色蛍光灯などの陰極管が一例として使用されている。また、イメージセンサ７６は、一例としてＣＣＤ(Charge Coupled Device)素子からなり、原稿からの反射光の強さに応じた光のエネルギーを電荷に変換するように構成されている。
【００３６】
ＦＢ読取機能を用いて原稿読取を行う場合には、図５に示すように、ユーザが手動操作にてＦＢカバー６０を上方側に開いて第１読取窓４４に原稿を載置する必要がある。読取ヘッド７０は、ＦＢ読取機能作動時には、第１読取窓４４の直下で移動しながら第１読取窓４４に載置された原稿の画像を読み取る。
【００３７】
また、ＡＤＦ読取機能を用いて原稿読取を行う場合には、読取ヘッド７０は、ＡＤＦ読取機能用の第２読取窓４６の直下に停止配置された状態で、自動原稿搬送部の一例としてのＡＤＦ機構８０から搬送され第２読取窓４６上を通過していく原稿の画像を読み取る。
【００３８】
ＡＤＦ機構８０は、ＦＢカバー６０の上方に設けられており、ＡＤＦ読取機能用に原稿を自動搬送する。ＡＤＦ機構８０のＡＤＦカバー１００は、ＦＢカバー６０に開閉自在に取り付けられている。図１および図５はＡＤＦカバー１００が閉じた状態を示し、図６はＡＤＦカバー１００が開いた状態を示している。ＡＤＦカバー１００が閉じることにより、原稿が自動搬送される搬送路３００が形成される（図４参照）。
【００３９】
ＡＤＦ機構８０には、原稿トレイ８２に設置された原稿を搬送路３００を通り第２読取窓４６から集積トレイ６２に自動搬送するために、分離ローラ８４と搬送ローラ８６と排出ローラ８８とが設けられている。各ローラは、駆動手段の一例としてのＡＤＦモータ９４（図７参照）により、図示しない歯車機構を介して駆動される。
【００４０】
分離ローラ８４は、原稿トレイ８２に載置された原稿を一枚ずつ分離して搬送路３００へと導く。搬送ローラ８６は、分離ローラ８４で分離された原稿を第２読取窓４６に搬送する。排出ローラ８８は、読み取りが終了した原稿を集積トレイ６２に排出する。
【００４１】
分離ローラ８４よりも原稿トレイ８２側に、自動搬送する原稿が原稿トレイ８２に載置されていることを検出する原稿検出手段の一例としてのフロントセンサ１０４（図７参照）が設置されている。
【００４２】
また、ＡＤＦカバー１００には、前述したように、原稿載置台４０に設けたセンサ５０に向けて突出する棒１０２が設けられている。棒１０２は、ＦＢカバー６０およびＡＤＦカバー１００の両方が閉じた状態で、ＦＢカバー６０に形成された切り欠きを通して貫通孔４８を貫通する。
【００４３】
（画像読取装置３０の制御系）
画像読取手段、開閉検出手段、駆動手段、原稿読取準備手段、指示手段、指示判定手段、光量調整手段、光量調整停止手段、原稿検出手段、および警告手段の一例としての図７に示す制御部２００は、画像読取装置３０による画像読取を制御するものである。制御部２００は、ＣＰＵ２０２、ＲＡＭ２０４、ＲＯＭ２０６、およびメインＡＳＩＣ（Application Specific Integrated Circuit）２０８等を含むマイクロコンピュータにより構成されている。
【００４４】
制御部２００は、ＲＯＭ２０６に格納されている制御プログラムをＣＰＵ２０２が実行することにより、操作パネル１２の操作によりユーザから指示される画像読取処理を制御部２００内のメインＡＳＩＣ２０８等を介して制御する。
【００４５】
また、制御部２００は、ＦＢカバー６０およびＡＤＦカバー１００の開閉状態をセンサ５０の出力信号に基づいて検出するとともに、自動搬送する原稿がＡＤＦ機構８０の原稿トレイ８２に載置されているか否かを、フロントセンサ１０４の出力信号に基づいて検出する。
【００４６】
また制御部２００は、モータドライバ９２、９６でＦＢモータ９０、ＡＤＦモータ９４を駆動して読取ヘッド７０に原稿の画像データを読み取らせる。そして、制御部２００は、イメージセンサ７６のＣＣＤが光電変換して読み取った原稿の画像データを画像処理ＡＳＩＣ２１０と画像読取回路２１２を介して入力し、制御部２００内のメインＡＳＩＣ２０８により処理する。
【００４７】
〈カバー開閉検出処理〉
次に、制御部２００のＣＰＵ２０２が実行するカバー開閉検出処理について説明する。図８〜図１２は、カバー開閉検出ルーチンを示すフローチャートであり、図８〜図１２において、「Ｓ」はステップを表している。図８に示すカバー開閉検出ルーチンは、例えば１０ｍｓのタイマ割り込みで実行される。
【００４８】
（カバー開閉検出ルーチン）
タイマ割り込みによりカバー開閉検出ルーチンが開始されると、まずＳ４００において、センサ５０の検出信号に基づいて、ＦＢカバー６０およびＡＤＦカバー１００の少なくとも一方が開状態であるか否かが判定される。Ｓ４００の処理は、開閉検出手段が実行する機能に相当する。
【００４９】
ＦＢカバー６０およびＡＤＦカバー１００の両方が図１に示すように閉状態の場合、センサ５０は貫通孔４８を貫通している棒１０２を検出する。
これに対し、ＦＢカバー６０またはＡＤＦカバー１００の一方が図５および図６に示すように開状態、あるいはＦＢカバー６０およびＡＤＦカバー１００の両方が開状態であれば、棒１０２は貫通孔４８から抜け出している。つまり、ＦＢカバー６０およびＡＤＦカバー１００の少なくとも一方が開状態であれば、ＦＢカバー６０およびＡＤＦカバー１００が閉状態のときに貫通孔４８を貫通している所定位置から棒１０２はずれている。
【００５０】
センサ５０は、ＦＢカバー６０およびＡＤＦカバー１００の開閉状態に応じた棒１０２の位置から、棒１０２が貫通孔４８を貫通しているか、貫通孔４８から抜け出しているかを検出する。これにより、ＣＰＵ２０２は、ＦＢカバー６０およびＡＤＦカバー１００の両方が閉じているか、あるいはＦＢカバー６０およびＡＤＦカバー１００の少なくとも一方が開いているかを検出する。
【００５１】
ＦＢカバー６０およびＡＤＦカバー１００がともに閉状態の場合（Ｓ４００：Ｎｏ）、Ｓ４０４から説明する処理以外の、その他の画像読取処理が実行される（Ｓ４０２）。
ＦＢカバー６０およびＡＤＦカバー１００の少なくとも一方が開いている場合、Ｓ４０４において、画像読取処理を実行するための読取準備処理が実行される。読取準備処理については図９において後述する。
【００５２】
尚、センサ５０は、ＦＢカバー６０およびＡＤＦカバー１００の少なくとも一方が開状態であることを検出できるが、ＦＢカバー６０またはＡＤＦカバー１００のどちらが開状態であるかを判別することはできない。したがって、ＦＢカバー６０およびＡＤＦカバー１００の少なくとも一方が開状態であることが検出されると、どちらのカバーの開状態にも対応することが望ましい。
【００５３】
そこで、読取準備処理の実行後、Ｓ４０６においてＡＤＦモータ９４の駆動が停止される。ＡＤＦカバー１００が開状態の場合は、ＡＤＦ機構８０のローラ等が露出している可能性があるので、ＡＤＦモータ９４を停止することによりローラの回転が停止される。
【００５４】
前述したＳ４０４および図９に示す読取準備処理ルーチンとＳ４０６とにおける処理は、原稿読取準備手段が実行する機能に相当する。
次に、Ｓ４０８において、分離ローラ８４よりも原稿トレイ８２側に設置されているフロントセンサ１０４により、原稿トレイ８２にＡＤＦ用の原稿が載置されているか否かが判定される。ＡＤＦ原稿が原稿トレイ８２に載置されていない場合（Ｓ４０８：Ｎｏ）、Ｓ４１０において、スタートボタン１４が押されるか否かが判定される。Ｓ４０８の処理は原稿検出手段が実行する機能に相当する。
【００５５】
スタートボタン１４が押されると（Ｓ４１０：Ｙｅｓ）、本等の厚い原稿が第１読取窓４４に載置され、ＦＢカバー６０が開状態になっていると考えられる。したがって、スタートボタン１４が押されると（Ｓ４１０：Ｙｅｓ）、ＣＰＵ２０２は、第１読取窓４４に厚い静止原稿が載置されていると判断し、Ｓ４１２においてＦＢ読取処理が実行される。ＦＢ読取処理については図１１において後述する。
【００５６】
Ｓ４１２および図１１に示すＦＢ読取処理ルーチンにおける処理は、画像読取手段が実行する機能に相当する。
スタートボタン１４が押されない状態（Ｓ４１０：Ｎｏ）で一定時間が経過すると（Ｓ４１４：Ｙｅｓ）、Ｓ４１６で読取準備解除処理が実行される。読取準備解除処理については図１０において後述する。
【００５７】
Ｓ４１０およびＳ４１４の処理は指示判定手段が実行する機能に相当する。また、Ｓ４１６および図１０に示す読取準備解除処理ルーチンにおける処理は、光量調整停止手段が実行する機能に相当する。
【００５８】
また、ＦＢカバー６０およびＡＤＦカバー１００の少なくとも一方が開状態のときに原稿トレイ８２に原稿が載置されている場合（Ｓ４０８：Ｙｅｓ）、Ｓ４１８においてＦＢカバー６０およびＡＤＦカバー１００の少なくとも一方が開状態であることがＬＣＤ１６に表示される。さらに、音声または警告音によりカバーの開状態を警告してもよい。Ｓ４１８の処理は、警告手段が実行する機能に相当する。
【００５９】
このように、ＦＢカバー６０およびＡＤＦカバー１００の少なくとも一方が開状態であることをユーザに警告して知らせることにより、開いているカバーを閉じることをユーザに促すことができる。
【００６０】
Ｓ４１８においてカバーの開状態が警告されると、Ｓ４２０においてＦＢカバー６０およびＡＤＦカバー１００の少なくとも一方が開いているか否かが判定される。ＦＢカバー６０およびＡＤＦカバー１００の両方が閉状態になり（Ｓ４２０：Ｎｏ）、ユーザによりスタートボタンが押されて原稿読取が指示されると（Ｓ４２２：Ｙｅｓ）、Ｓ４２４においてＡＤＦ読取処理が実行される。ＡＤＦ読取処理については図１２において後述する。
【００６１】
Ｓ４２０の処理は、開閉検出手段が実行する機能に相当する。また、Ｓ４２４および図１２に示すＡＤＦ読取処理ルーチンにおける処理は、画像読取手段が実行する機能に相当する。
【００６２】
本実施形態においては、原稿トレイ８２に原稿が載置されている場合（Ｓ４０８：Ｙｅｓ）、ＦＢカバー６０およびＡＤＦカバー１００の両方が閉状態になるまで、ユーザがＡＤＦ原稿の読み取りを指示しても、画像読取手段はＳ４２４のＡＤＦ読取処理を実行しない。
【００６３】
これにより、例えば、ＦＢカバー６０が開状態のままユーザがＡＤＦ原稿の読み取りを指示することにより、ＦＢカバー６０が開状態でＡＤＦ原稿の読取処理が実行され、全体が黒い画像が読みとられることを防止できる。その結果、用紙の無駄を低減できる。
【００６４】
（読取準備処理ルーチン）
図９に、図８のＳ４０４で実行される読取準備処理ルーチンを示す。
Ｓ４３０において、ＦＢモータ９０により白基準部材５２の位置に読取ヘッド７０が移動され、Ｓ４３２において、画像読取回路２１２に電力が供給される。
【００６５】
画像読取回路２１２に電力が供給されると、Ｓ４３４において、前述したように、発光する光量が予め設定された範囲内に安定するように、光源７２の光量が調整される。
Ｓ４３６において、白基準部材５２および黒基準部材により、白基準および黒基準となる黒白基準データが読み込まれ、Ｓ４３８において、読み込んだ黒白基準データを用いてシェーディング補正のためのデータが算出される。
【００６６】
このように、ＦＢカバー６０およびＡＤＦカバー１００の少なくとも一方が開状態のときに、光源７２の光量を調整するとともに基準色の補正を実行しておくことにより、画像読取が指示されるときに、画像読取処理を速やかに実行できる。
【００６７】
（読取準備解除処理ルーチン）
図１０に、図８のＳ４１６で実行される読取準備解除処理ルーチンを示す。
Ｓ４４０において、画像読取回路２１２への電力供給が停止される。そして、Ｓ４４２において、光源７２への電力供給が停止され、光源７２に対する光量調整が停止される。
【００６８】
これにより、ＦＢカバー６０およびＡＤＦカバー１００の少なくとも一方が開いている状態で所定時間の間に画像読取が指示されない場合に、不要な電力消費を防止できる。
（ＦＢ読取処理）
図１１に、図８のＳ４１２で実行されるＦＢ読取処理ルーチンを示す。
【００６９】
Ｓ４５０において、ＦＢモータ９０により読取ヘッド７０は読取開始位置に移動される。Ｓ４５２において、ＦＢモータ９０により読取ヘッド７０が移動し第１読取窓４４に載置された静止原稿の画像が読み取られると、Ｓ４５４において読取ヘッド７０はホームポジションに戻される。
【００７０】
（ＡＤＦ読取処理）
図１２に、図８のＳ４２４で実行されるＡＤＦ読取処理ルーチンを示す。
Ｓ４６０において、ＦＢモータ９０により読取ヘッド７０は、第２読取窓４６の直下に移動される。Ｓ４６２において、ＡＤＦモータ９４が駆動されＡＤＦ機構８０の各ローラが回転することにより、原稿トレイ８２に載置された原稿が搬送路３００を通り第２読取窓４６から集積トレイ６２に排出される。これにより、ＡＤＦ原稿が読み取られる。
【００７１】
そして、ＡＤＦ原稿の読み取りが終了すると（Ｓ４６４：Ｙｅｓ）、Ｓ４６６において読取ヘッド７０はホームポジションに戻される。
以上説明した本実施形態では、ＡＤＦカバー１００に設置した棒１０２が原稿載置台４０に形成された貫通孔４８を貫通しているか否か、つまり棒１０２の位置から、センサ５０はＦＢカバー６０およびＡＤＦカバー１００の開閉状態を検出する。これにより、貫通孔４８、センサ５０および棒１０２から構成される１個の開閉検出手段により、ＦＢカバー６０およびＡＤＦカバー１００の少なくとも一方が開いていることを検出できる。
【００７２】
そして、１個の開閉検出手段によりＦＢカバー６０およびＡＤＦカバー１００の少なくとも一方が開いていることを検出すると、以下の複数の処理を実現できる。
（１）予め光源７２の光量を調整するとともに、基準色の補正を実行する。
（２）ＡＤＦ機構８０のＡＤＦモータ９４の駆動を停止し、ＡＤＦ機構８０のローラの回転を停止させる。
（３）ＡＤＦ機構８０の原稿トレイ８２に自動搬送する原稿が載置されている場合、カバーが開いていることをＬＣＤ１６等により警告する。さらに、両方のカバーが閉じるまで、スタートボタン１４が押されてもＡＤＦモータ９４を駆動せず、原稿トレイ８２から原稿を自動搬送しない。
【００７３】
ただし、原稿トレイ８２に自動搬送する原稿が載置されていない場合にスタートボタン１４が押されると、本等の厚い原稿が第１読取窓４４に載置されていると判断し、ＦＢ読取処理により静止原稿の画像は読み取られる。
【００７４】
［他の実施形態］
上記実施形態では、ＡＤＦカバー１００に被検出部の一例として突出部である棒１０２を設け、原稿載置台４０に検出部の一例として貫通孔４８およびセンサ５０を設けた。これに対し、ＡＤＦカバー１００に貫通孔４８およびセンサ５０を設け、原稿載置台４０にセンサ５０側に突出する棒１０２を設けてもよい。
【００７５】
また、原稿載置台４０およびＡＤＦカバー１００の一方に、検出部の一例として受光素子を設け、原稿載置台４０およびＡＤＦカバー１００の他方に、被検出部の一例として発光素子を設けてもよい。この場合、ＦＢカバー６０およびＡＤＦカバー１００が閉じた状態で、発光素子が照射する光を受光素子が受光するように構成する。
【００７６】
これにより、ＦＢカバー６０およびＡＤＦカバー１００の少なくとも一方が開くと、発光素子の位置がずれ光の光軸がずれるので、受光素子の出力信号に基づいて、ＦＢカバー６０およびＡＤＦカバー１００の少なくとも一方が開いていることを検出できる。
【００７７】
また、本実施形態では、光源７２として蛍光灯を使用し、撮像素子としてＣＣＤを使用する光学縮小方式の画像読取手段により原稿の画像を読み取っている。本発明では、これ以外にも、光源として発光ダイオードを使用し、撮像素子としてＣＭＯＳセンサを使用するＣＩＳ(Contact Image Sensor)を使用してもよい。
【００７８】
このように、本発明は上記実施形態に限定されるものではなく、その要旨を逸脱しない範囲で種々の実施形態に適用可能である。
【符号の説明】
【００７９】
１０：複合機、１４：スタートボタン（指示手段）、２０：画像形成装置、３０：画像読取装置、４０：原稿載置台、４８：貫通孔（検出部、開閉検出手段）、５０：センサ（検出部、開閉検出手段）、６０：ＦＢカバー（原稿カバー）、７０：読取ヘッド（画像読取手段）、７２：光源、８０：ＡＤＦ機構（自動原稿搬送部）、９４：ＡＤＦモータ（駆動手段）、１００：ＡＤＦカバー（自動原稿搬送カバー）、１０２：棒（被検出部、突出部、開閉検出手段）、１０４：フロントセンサ（原稿検出手段）、２００：制御部（画像読取手段、開閉検出手段、駆動手段、原稿読取準備手段、指示手段、指示判定手段、光量調整手段、光量調整停止手段、原稿検出手段、警告手段）、３００：搬送路
【図１】
2010233076.tif 000003
【図２】
2010233076.tif 000004
【図３】
2010233076.tif 000005
【図４】
2010233076.tif 000006
【図５】
2010233076.tif 000007
【図６】
2010233076.tif 000008
【図７】
2010233076.tif 000009
【図８】
2010233076.tif 000010
【図９】
2010233076.tif 000011
【図１０】
2010233076.tif 000012
【図１１】
2010233076.tif 000013
【図１２】
2010233076.tif 000014